(57)【要約】【目的】選択したチャンネルの番組映像情報に加えて特別な操作を行うことなく、番組関連情報を見ることができ、チャンネルの切り替え途中の瞬間的な画像情報だけでなく、番組の内容や次に当該チャンネルにおいて放送される番組の内容も把握することによって快適な番組の選択が可能なＤＴＶ装置の提供。【構成】番組関連情報を蓄積し、利用可能なＤＴＶ装置において、ユーザの操作するチャンネルのアップ操作及びダウン操作の信号を検出する手段と、当該操作信号が検出された場合にチャンネルを変更し、当該変更されたチャンネルの番組画面を表示すると共に、一定の期間、表示中の番組に関する番組関連情報及び次に放送される番組に関する番組関連情報を合わせて表示する手段を持つ。【選択図】      図１
2004235847.tif 000002
【特許請求の範囲】
【請求項１】
番組関連情報を蓄積し、利用可能なＤＴＶ装置において、
ユーザの操作するチャンネルのアップ操作及びダウン操作の信号を検出する手段と、当該操作信号が検出された場合にチャンネルを変更し、当該変更されたチャンネルの番組画面を表示すると共に、一定の期間、表示中の番組に関する番組関連情報及び次に放送される番組に関する番組関連情報を合わせて表示する手段を持つことを特徴とするＤＴＶ装置。
【請求項２】
現在、表示中の番組に関する番組関連情報を、一定の期間表示を行う際に、現在、表示中の番組が、当該番組の放送時間全体の内の、どの時間的位置にあるかを示すスケールを表示する手段を持つことを特徴とする請求項１記載のＤＴＶ装置。
【請求項３】
ユーザの操作するチャンネルのアップ操作及びダウン操作の信号を検出する際、リモコン装置のボタンの押し続け操作等の連続したユーザの操作を別途検出する手段を設け、ユーザによる前記ボタンの押し続け操作を検出した際には、前記押し続け操作により順次変更されているチャンネルの番組画面を非表示とする手段と、代わりに、前述の順次変更されている選択中のチャンネルの番組関連情報及び選択中のチャンネルに連続するのチャンネルの番組関連情報を一覧表示する手段と、ユーザによる前記ボタンの押し続け操作が中止された事を検出した際には、前記一覧表示を中止する手段と、当該ユーザによるボタンの押し続け操作が中止された時点で選択中のチャンネルの番組画面を表示する手段を持つことを特徴とする請求項１又は２記載ＤＴＶ装置。
【請求項４】
ユーザによるチャンネルのアップ操作及びダウン操作の信号が検出された際に、一定の期間、変更されたチャンネルの番組画面と共に表示する番組関連情報として、現在放送中の番組の放送時間が、特定の時間以上残っている場合には、現在の番組関連情報を、前記放送時間が特定の時間以下である場合には、次に放送される番組の番組関連情報を表示する手段を持つことを特徴とする請求項１記載のＤＴＶ装置。
【請求項５】
ユーザの視聴履歴情報や嗜好情報、或は放送局等から送られた情報を基にお薦め番組を検索する手段と、ユーザによるチャンネルのアップ操作及びダウン操作の信号が検出された際に、一定の期間、変更されたチャンネルの番組画面と共に表示する番組関連情報として、現在放送中、或は、間もなく放送開始となる前記お薦め番組に関する番組関連情報を表示する手段を持つことを特徴とする請求項１記載ＤＴＶ装置。
【請求項６】
ユーザの視聴履歴情報や嗜好情報、或は放送局等から送られた情報を基にお薦め番組を検索する手段と、ユーザによる前記ボタンの押し続け操作を検出した際に一覧表示される番組関連情報として、選択中のチャンネルに連続するのチャンネルの番組関連情報の代わりに、前述の検索されたお薦め番組の存在するチャンネルの番組関連情報を優先して表示する手段を持つことを特徴とする請求項３記載のＤＴＶ装置。
【発明の詳細な説明】
【０００１】
【発明の属する技術分野】
本発明は、ＤＴＶ装置、特にリモコン装置によるチャンネルのアップダウン操作や番組プログラム表の表示操作を行うことが可能なＤＴＶ装置に関するものである。
【０００２】
【従来の技術】
従来、ＤＴＶ装置においては、通常のデジタル放送番組の他にもデータ放送番組やアナログ放送番組、電話回線、家庭内インタホン、玄関ドアホン、インターネット、ホームサーバ、各種家電機器との接続が行われている。このとき、リモコン装置のチャンネルアップダウンボタン２０８の操作により、放送が行われているチャンネルの切り替えや番組プログラムの切り替えは勿論、それ以外の入力ソースのＤＴＶ装置で視聴再生可能な周辺機器への切り替えや、ＤＴＶ装置に搭載された他のアプリケーション画面に切り替えも、あたかもチャンネルの１つの如く扱われ、リモコン装置のチャンネルのアップダウンボタンにより選択動作が行われていた。
【０００３】
【発明が解決しようとする課題】
しかしながら、上記のような構成においては、ＤＴＶ装置が受信可能な放送チャンネルが多い場合は、連続的にリモコン装置のチャンネルアップダウンボタンを操作し、次々とチャンネルを変更してゆく場合でも、各チャンネルとも番組の一場面しか確認することができず、時間帯によっては、各チャンネル共にＣＭ等が流れている場合も多く、たまたま表示された番組の画面から内容を確認することは困難であった。
【０００４】
又、より多くの番組や入力ソースを確認する目的で、リモコン装置のチャンネルアップダウンボタンを素早く連続して操作したり、或は押し続けることで連続して信号を発生させたりした場合では、デジタル放送においては連続的に頻繁にチャンネルを切り替えてもデコーダの処理の関係で番組の内容画面がすぐに出て来ない場合があり、結果として、切り替え操作の途中の番組や画面の内容をチェックするのは困難であった。
【０００５】
特に、前述のようなＤＴＶ装置に接続された多くの外部映像機器への入力ソースの切り替えもリモコンのチャンネルのアップダウン操作により行うものについては、チャンネルや入力ソースとなる機器が多いためにアップダウンボタンだけでは全ての番組について内容を確認し、一番視聴者の目的に合った番組を選択するのは困難であった。
【０００６】
又、視聴者が運良く短時間のチャンネル切り替え操作のうちに好みの番組を発見した場合であっても、当該選択した番組が終了間際であったりする場合には十分な満足は得られない場合があった。
【０００７】
更に、上記の問題を鑑み、電子プログラムガイド（以下、ＥＰＧと略す）のようなデジタル放送において番組データと共に送られる情報を用いて、新聞の番組欄のようなアプリケーションを提供し、デジタル放送の番組内容やＤＴＶ装置に繋がれた各種機器の情報を視聴者に提供するＤＴＶ装置もあるが、この場合は、ＥＰＧアプリケーション上での番組選択のための、フォーカスの移動や選択決定等、リモコン装置のポインティングデバイスやカーソルキーボタン、そして決定のためのキーボタン等、様々なボタンによる操作を必要とするために結果として目的の番組を選択するまでには非常に時間の掛かるものであった。
【０００８】
本発明は上記問題に鑑みてなされたもので、その目的とする処は、選択したチャンネルの番組映像情報に加えて特別な操作を行うことなく、番組関連情報を見ることができ、チャンネルの切り替え途中の瞬間的な画像情報だけでなく、番組の内容や次に当該チャンネルにおいて放送される番組の内容も把握することによって快適な番組の選択が可能なＤＴＶ装置を提供することにある。
【０００９】
【課題を解決するための手段】
上記目的を達成するため、本発明は、番組関連情報を蓄積し、利用可能なＤＴＶ装置において、ユーザの操作するチャンネルのアップ操作及びダウン操作の信号を検出する手段と、当該操作信号が検出された場合にチャンネルを変更し、当該変更されたチャンネルの番組画面を表示すると共に、一定の期間、表示中の番組に関する番組関連情報及び次に放送される番組に関する番組関連情報を合わせて表示する手段を持つことを特徴とする。
【００１０】
【発明の実施の形態】
以下に本発明の実施の形態を添付図面に基づいて説明する。
【００１１】
＜実施の形態１＞
図４〜図６及び図１１は本発明に係るＤＴＶ装置の特徴を最も良く表わす図である。ここで、図４はユーザがチャンネルを変えようとする時点で見ていた番組が表示されている表示画面の図、図６はＤＴＶ装置のリモコン装置のチャンネルアップダウンボタンを１回操作しチャンネルを切り替えた直後のＤＴＶ装置の表示画面を示した図であり、図５は図６の状態から一定時間が経過した後の表示画面の図を示す図である。又、図１１は前述のチャンネルアップダウンボタンを押し続けた際のＤＴＶ装置の表示画面を示している。
【００１２】
図１は本発明に係るＤＴＶ装置の外観図であり、ＤＴＶ装置本体の周囲にＤＴＶ装置と接続されたＶＴＲ装置やＤＶ装置等の各種映像機器、音響機器、更には、ＤＴＶ装置本体に挿入することで格納された情報の記録、再生が可能となるメモリカード装置やＤＶＤ等に代表される各種メディア等が表示されている。
【００１３】
図２はＤＴＶ装置を操作するためのリモコン装置であり、２０１はリモコン装置本体、２０２〜２０６はＤＴＶ装置の各種設定メニュー画面を操作するための上下左右移動ボタン及び中央の実行ボタン、２０７はデジタル放送時のデータ放送に用いられるカラーボタン、２０８はチャンネルをアップダウンするためのチャンネルアップダウンボタン、２０９はＤＴＶ装置の音量を制御するためのアップダウンボタンである。
【００１４】
図３は本発明に係るＤＴＶ装置の内部構成を示すブロック図であり、ここで３０１はデジタル放送電波を受信するためのアンテナ装置、３０２はアンテナから受信された電波を選局、同調するためのチューナ装置、３０３は選局された電波を復調し信号に変換するための復調回路装置、３０４は復調された信号からＴＳ信号を分離するためのＴＳデコーダ回路、３０５は分離されたＴＳ信号より映像デコードを行う映像デコーダ回路、３０６は同じくＴＳ信号より音声でコードを行う音声デコーダ回路、３０７は同じくＴＳ信号よりデータ放送のデコードを行うデータ放送デコーダ回路である。
【００１５】
３０８はＤＴＶ装置本体の各種制御装置からの情報を表示するためのＯＳＤ回路、３０９はＤＴＶ装置に搭載されている各種アプリケーション、３１０はＤＴＶ装置内部で作成された各種映像情報を合成して出力する画像合成部、３１１はＤＴＶ装置の表示画面となるモニタ装置、３１２はＤＴＶ装置の各種制御のためのプログラム及び搭載されたアプリケーションのプログラム及び各種データを格納するためのＲＯＭ装置、３１３はＤＴＶ装置の各種制御のためのプログラム及び搭載されたアプリケーションのプログラム及び各種データを格納し、更に、前記アプリケーションを動作させるためのワークとなるＲＡＭ装置である。
【００１６】
３１４はＤＴＶ装置の各種制御及びプリケーションを実行するためのＣＰＵ装置、３１５はＤＴＶ装置と外部機器との通信を行うためのモデム装置、３１６はＤＴＶ装置の限定受信動作を行う際の認証動作、或は外部機器との各種情報のやり取りを行うためのＩＣカード装置、３１７はＤＴＶ装置の各回路ブロック間の情報伝達を行うためのバス装置、３１８はＤＴＶ装置に接続された外部機器との画像データを含む高速なデータのやり取りを行うためのインターフェース回路、３１９はＤＴＶ装置に各種コマンドを伝えるためのリモコン装置である。
【００１７】
図１２はＤＴＶ装置に対してリモコン装置による操作が行われた際の処理の動作を示すフローチャートであり、特にここでは、チャンネルのアップダウンボタンの操作が行われた際の処理の動作を示しており、その他の処理の場合は、ここでは直接関係ないために省略している。
【００１８】
ここで、ステップ１２０１はリモコン装置の受信された信号種別を取得するステップ、１２０２はコマンド信号を解析するステップ、１２０３は解析されたコマンドがチャンネルアップダウンボタンによる信号であるか否かを判定するステップであり、否である場合には、ＤＴＶ装置内のそれぞれのコマンドを処理するステップに進むが、本発明では直接関係なく、又、種類も多いのでここでは省略されている。ステップ１２０４では、リモコン装置により発信された信号がチャンネルのアップダウンに相当するコマンドであった場合に、現在のチャンネルを保持している設定値の変更を行い、ステップ１２０５では必要に応じてストリームの切り替えを行う。
【００１９】
ステップ１２０６では、番組関連情報の読み込みが行われ、ステップ１２０７において、リモコン装置のチャンネルアップダウンボタンが連続押しであるか否かが判定され、連続押しではない場合には、ステップ１２０８でチャンネルの変更が実行され、ステップ１２０９で当該変更されたチャンネルの番組が表示される。ステップ１２１０では、先に読み込まれた番組関連情報、ここでは、現在の番組に関する情報と次に続く番組に関する情報が番組と合成されて表示し、ステップ１２１１において一定の時間が経過したと判定されるまで引き続き表示される。ステップ１２１１で一定の時間が経過したとされた場合はステップ１２１２で番組関連情報の消去が行われ、リモコン装置による操作の処理が終了する。
【００２０】
又、ステップ１２０７において、リモコン装置のチャンネルアップダウンボタンの連続押しであることが検出された場合は、ステップ１２１３へと進み、番組関連情、ここでは、選択されていたチャンネルの、前後のチャンネルの、番組関連情報をリスト表示する。ステップ１２１４では、前述のリスト表示中に存在する、カーソルの位置を現在のチャンネルを保持している設定値の次の値に一致させて表示を行い、ステップ１２１５では、前述のカーソルの位置にあったチャンネルを保持している設定値に変更を行う。
【００２１】
ステップ１２１６では、必要に応じてストリームの切り替えを行い、ステップ１２１７では新たに番組関連情報の読み込みが行われる。ステップ１２１８では、再びリモコン装置のチャンネルアップダウンボタンが連続押しであるか否かが判定され、連続押しではない場合には前述の番組関連情報のリスト上にあるカーソルの位置と一致するチャンネルへの変更が実行されステップ１２０９へと進む。又、ステップ１２１８において引き続き連続押しであると判定された場合には、再びステップ１２１３へと進みループする。
【００２２】
以下、図１〜図７及び図１１〜図１２を用いて、本発明による実施の形態１について詳細に説明する。
【００２３】
今、ユーザは、本発明によるＤＴＶ装置において、図４に示すように、チャンネル「ＢＳＤ０５」において、番組０５１を視聴している。このとき、ユーザは現在視聴中の番組から他の番組へと変更する目的で、図２のリモコン装置のチャンネルアップダウンボタン２０８の操作、例えば、リモコン装置によりチャンネルをアップする操作を行ったものとする。当該リモコン装置の操作により、ＤＴＶ装置では、図１２に示すリモコン信号の処理が開始される。
【００２４】
ステップ１２０１では、前記リモコン装置によりＤＴＶ装置に送られたリモコン信号のコマンド種別が取得され、ステップ１２０２において、チャンネルアップのコマンドであることが解析される。そのため、ステップ１２０３での判定によりステップ１２０４へと進む。ステップ１２０４では、次に表示すべきチャンネルの番号、即ち、チャンネル「ＢＳＤ０５」からチャンネルアップしたチャンネル「ＢＳＤ０６」のチャンネルが設定される。このとき、ステップ１２０５において、必要に応じてチャンネル「ＢＳＤ０６」のチャンネルが含まれているストリームの選択が行われ、ステップ１２０６において、番組関連情報の読み込みが行われる。
【００２５】
次に、１２０７において、リモコン装置のチャンネルアップのボタンが連続して押しつ続けられているか否かが判定され、押し続けられていない場合は、ステップ１２０８に進み、実際にチャンネルの変更が行われる。次のステップ１２０９では、選択されたチャンネルによる番組のデコード処理が開始され、ステップ１２１０において、番組関連情報との合成表示が行われ、図６に示すような、番組画面と番組関連情報、ここでは、チャンネル「ＢＳＤ０６」における現在の番組に関する情報及び同じくチャンネル「ＢＳＤ０６」における次の番組に関する情報が共に表示される画面となる。
【００２６】
ステップ１２１１ではこの状態が一定時間継続したか否かを判定し、経過した場合にはステップ１２１２において、番組関連情報の部分が消去され、図５に示すような番組のみの画面へと変わる。このとき、ユーザが再びリモコン装置の操作を行い、チャンネルアップの操作を行った際にも、同様にチャンネル「ＢＳＤ０６」からチャンネル「ＢＳＤ０７」へと変わり、一定の期間は、図７に示すように、チャンネル「ＢＳＤ０７」の番組０７１と、同番組に関する情報及びチャンネル「ＢＳＤ０７」における次の番組の情報が共に表示されることになる。
【００２７】
又、ユーザが図４に示すチャンネル「ＢＳＤ０５」の番組を見ている際に、リモコン装置のチャンネルアップのボタンを押し続けた場合には、ステップ１２０７において、未だにリモコン装置のチャンネルアップのボタンが押し続けられているために、押し続け動作が検出され、ステップ１２１３へと進み、図１１に示すような、視聴中のチャンネルを中心とした番組関連情報のリスト画面が表示される。
【００２８】
ステップ１２１４では、図１１の１１０３に示される太枠状のカーソルが常に中心位置となるように番組関連情報のリスト情報の移動スクロールが行われる。その際、ステップ１２１５では、リストの移動に伴い、中心位置にカーソルと共に表示されているチャンネルへの設定が行われ、ステップ１２１６で必要に応じてストリームの切り替えが行われた後、ステップ１２１７で再び番組関連情報の読み込みが行われ、ステップ１２１８において、依然、チャンネルアップのボタンが押し続けられているか否かの判定がなされ、押し続けられている場合には、ステップ１２１３へとループし、ステップ１２１４において、リストの移動が行われ、以後、同様に、ステップ１２１５で設定されるチャンネルが次々と変化する事になる。
【００２９】
又、この状態において、ユーザがリモコン装置のチャンネルアップボタンを離した場合には、ステップ１２１９において、最終的にチャンネルアップボタンを離した際のカーソルのあるチャンネルへと設定が変更され、ステップ１２０９に移り、当該チャンネルの番組が表示され、ステップ１２１０及びステップ１２１１の一定時間のループにより、当該チャンネルの番組と番組関連情報の併用画面を表示した後、通常の番組表示へと移行するものである。
【００３０】
以上説明したように、本発明によれば、ユーザである視聴者が、視聴中の番組から、自分の見たい番組を探すべく、リモコン装置のチャンネルアップダウンボタンを繰り返して操作する際に、切り替えた直後一定の時間は、当該切り替えたチャンネルで放送中の番組に関する情報及び次に放送する番組に関する情報が表示されており、これらを番組関連情報を一瞥することで、この切り替えたチャンネルに関する必要十分な情報が提供されるものである。
【００３１】
又更に、リモコン装置のチャンネルアップダウンボタンを押し続けることで、切り替えた直後のチャンネルにおいて番組情報がデコード開始され、表示されるまでの時間を待つことなしに、各チャンネルの番組関連情報のみを一覧することができ、又、素早くチャンネルを切り替えることが可能となる。
【００３２】
以上のことより、ユーザがリモコン装置のチャンネルアップダウンボタンの操作によりチャンネルを切り替える操作を行った場合でも、素早く、簡単に目的のチャンネルを選択することが可能となる。
【００３３】
又、本実施の形態においては、リモコン装置のチャンネルアップダウンボタンの操作により切り替えるチャンネルを放送による番組のみとしたが、他の入力ソース、例えば、ＶＣＲ装置やＨＤＤ装置に記録された映像ソースも前述のリモコン装置のチャンネルアップダウンボタンにより、放送番組に連続して切り替える構成においても、ＶＣＲ装置やＨＤＤ装置に映像ソースと共に記録された記録コンテンツデータ情報を基に、現在のＶＣＲ装置のテープ位置から再生可能な映像ソース及びその次に記録されている映像ソースの情報、或はＨＤＤ装置で直ちに再生可能な状態にある映像ソースの情報を先の番組関連情報の代わりに使用することで、リモコン装置によるシームレスな操作が可能となる。
【００３４】
又、ＤＴＶ装置の機能として、ユーザの操作履歴情報や、嗜好情報を基に、ユーザに対してお薦め番組を提示する手段を持つＤＴＶ装置においては、チャンネルを変えた直後一定の時間に表示する番組関連情報として、お薦め番組を提示する様にしても良い。
【００３５】
同様に、ユーザのチャンネルアップダウンボタンの押し続け操作により表示される複数のチャンネルから成る番組関連情報のリスト表示においても、連続するチャンネルではなく、お薦め番組の存在するチャンネルの番組関連情報を優先的に表示するようにしても良い。
【００３６】
＜実施の形態２＞
前述実施の形態１においては、リモコン装置により、繰り返してチャンネルアップダウンボタンを操作した際に、チャンネルを切り替えた直後、一定の時間、現在放送中の番組に関する番組関連情報及び次に放送される番組に関する番組関連情報を番組の映像と共に合成表示したが、本実施の形態では、図８及び図９に示すように、現在放送中の番組に関する番組関連情報を表示する際、当該番組関連情報より抽出した番組開始時刻情報及び番組時間を基に、現在、放送中の番組は、番組時間のうちのどの位置にあるかを演算し、表示画面に表示される現在の番組に関する番組関連情報の横に、当該番組関連情報の一方の枠を番組時間にスケール化して投影すると共に、当該スケール化した番組時間のうちの、現在放送中の番組の時間的位置を示すマークを表示することで、ユーザに現在放送中の番組が、番組の始めの方なのか、終わりの方なのか、或はあとどれくらい続くのかが、概略識別することができる。
【００３７】
又、リモコン装置のチャンネルアップダウンボタンの押し続けにより表示される、番組関連情報のリスト画面においても、それぞれのチャンネルの、現在放送中の番組の番組関連情報中に、現在放送中の番組の時間的位置をマーク表示する構成にしても良い。
【００３８】
このような構成にすることで、番組関連情報を見て気に入ったにも拘らず、そのチャンネルに切り替えた後、すぐに番組が終了してしまい、再びチャンネル探しを行う必要が生じる問題を回避できるものである。
【００３９】
＜実施の形態３＞
前記実施の形態１においては、ユーザによるＤＴＶ装置のリモコン装置の操作時に、チャンネルアップダウンボタンの押し続けを行った際に、現在選択中のチャンネルを中心とした番組関連情報のリスト表示のみとしたが、ＤＴＶ装置の処理速度に余裕がある場合には図１０に示すように、番組の画像データと番組関連情報のリストを組み合わせて表示しても良い。
【００４０】
このような構成にすることで、自分の好みのチャンネルを探す際に、番組の映像情報を中心に考慮しつつ、他のチャンネルや、次に始まる番組についても概略把握することで、もっと見たい番組が存在した場合に見逃す可能性を少なくことが可能となる。
【００４１】
【発明の効果】
以上の説明で明らかなように、本発明によれば、番組を視聴中のユーザがリモコン装置を用いて、当該番組から他のチャンネルの自分が見たい番組を探す際に、リモコン装置のチャンネルアップダウンボタンの操作により、適宜、選択したチャンネルの番組映像情報に加えて別途特別な操作を行うことなく、番組関連情報を見ることが出来、チャンネルの切り替え途中の言わば瞬間的な画像情報だけではなく、番組の内容や次に当該チャンネルにおいて放送される番組の内容も把握することで、快適な番組選択が可能となる。
【図面の簡単な説明】
【図１】本発明の実施の形態１によるＤＴＶ装置及び周辺機器の外観図である。
【図２】本発明の実施の形態１によるリモコン装置の外観図である。
【図３】本発明の実施の形態１を説明する機能ブロック図である。
【図４】本発明の実施の形態１の動作を説明するＤＴＶ装置の表示部を示す図である。
【図５】本発明の実施の形態１の動作を説明するＤＴＶ装置の表示部を示す図である。
【図６】本発明の実施の形態１の動作を説明するＤＴＶ装置の表示部を示す図である。
【図７】本発明の実施の形態１の動作を説明するＤＴＶ装置の表示部を示す図である。
【図８】本発明の実施の形態２を説明する図である。
【図９】本発明の実施の形態２を説明する図である。
【図１０】本発明の実施の形態３を説明する図である。
【図１１】本発明の実施の形態１の動作を説明するＤＴＶ装置の表示部を示す図である。
【図１２】本発明の実施の形態１の動作を説明するフローチャートである。
【符号の説明】
１０１  ＤＴＶ機器本体
１０２  ビデオディスク挿入口
１０３  メモリカード挿入口
１０４  ビデオディスク装置
１０５  メモリカード装置
１０６〜１０９  各種周辺映像機器
１１０〜１１２  放送メディアのイメージ図
２０１  リモコン装置本体
２０７  データ放送用カラーボタン
２０８  チャンネルアップダウンボタン
【図１】
2004235847.tif 000003
【図２】
2004235847.tif 000004
【図３】
2004235847.tif 000005
【図４】
2004235847.tif 000006
【図５】
2004235847.tif 000007
【図６】
2004235847.tif 000008
【図７】
2004235847.tif 000009
【図８】
2004235847.tif 000010
【図９】
2004235847.tif 000011
【図１０】
2004235847.tif 000012
【図１１】
2004235847.tif 000013
【図１２】
2004235847.tif 000014